【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
レーザ光を用いて情報の記録及び／又は再生を行う情報記録媒体であって、
レーザ光入射面に形成され、第１の開口数ＮＡ１（ＮＡ１≧０．９）を有する第１の対物レンズと第１の波長λ１のレーザ光とを用いて情報のニアフィールド記録及び／又はニアフィールド再生が可能な構成を有する第１の情報記録層と、
前記レーザ光入射面までの距離が０．０５ｍｍ〜１．２ｍｍとなるように形成され、第２の開口数ＮＡ２（ＮＡ２＜０．９）を有する第２の対物レンズと第２の波長λ２のレーザ光とを用いて情報の記録及び／又は再生が可能な構成を有する第２の情報記録層と、を備え、
前記開口数ＮＡ２と前記第２の波長λ２とで決まる回折限界δ２を、
δ２＝０．６１×λ２／ＮＡ２
とすると、
前記第１の情報記録層に形成されたトラックのトラックピッチＴｐ１は、
Ｔｐ１＜δ２
であることを特徴とする情報記録媒体。
【請求項２】
前記第１の情報記録層は第１の透過反射層を有し、
前記第１の透過反射層は、
前記第１の透過反射層に対する前記第２の波長λ２の反射率Ｒ１２と、前記第１の透過反射層に対する前記第２の波長λ２の透過率Ｔ１２とが、
Ｔ１２2≧Ｒ１２
の関係を満足するように、形成された、
請求項１に記載の情報記録媒体。
【請求項３】
前記第１の情報記録層は、前記レーザ光入射面までの距離が０．００１ｍｍ〜０．０１ｍｍとなるように形成された、
請求項１に記載の情報記録媒体。
【請求項４】
前記第２の情報記録層は、超解像膜を用いた近接場光による記録及び／又は再生が可能な構成を有する情報記録層である、
請求項１に記載の情報記録媒体。
【請求項５】
前記第２の情報記録層は、複数の情報記録層からなる、
請求項１に記載の情報記録媒体。
【請求項６】
第３の情報記録層を更に備え、
前記第３の情報記録層は、前記第２の情報記録層と異なる規格からなる情報記録層である、
請求項１に記載の情報記録媒体。
【請求項７】
前記レーザ光入射面とは反対側の面にレーベル面を備える、
請求項１に記載の情報記録媒体。
【請求項８】
前記レーザ光入射面から反対側の面までの厚さが１．１ｍｍ〜１．３ｍｍである、請求項１に記載の情報記録媒体。
【請求項９】
前記第１の情報記録層は、レーザ光の一部を透過し、他の一部を反射させる半透過反射層であり、
前記半透過反射層は、前記第１の波長λ１に対する反射率が４％以上であり、かつ、前記第２の波長λ２に対する透過率が２０％以上である、
請求項１に記載の情報記録媒体。
【請求項１０】
前記第１の波長λ１と前記第２の波長λ２とは異なり、
前記半透過反射層は、前記第２の波長λ２に対する反射率が６％以下である、
請求項９に記載の情報記録媒体。
【請求項１１】
再生専用の情報記録媒体であって、
前記第１の情報記録層と前記第２の情報記録層とには同じ内容の情報が異なる品質で記録されている、
請求項１に記載の情報記録媒体。
【請求項１２】
前記第１の情報記録層に記録された情報の内容及び圧縮率は、前記第２の情報記録層に記録された情報の内容及び圧縮率と同じである、
請求項１に記載の情報記録媒体。
【請求項１３】
前記第２の情報記録層は、前記レーザ光入射面までの距離が０．５４ｍｍ〜０．６５ｍｍの範囲に設けられ、
前記第１の情報記録層及び前記第２の情報記録層のそれぞれに記録された情報量は、１５ＧＢｙｔｅ以下であり、
前記第２の情報記録層は１層である、
請求項１２に記載の情報記録媒体。
【請求項１４】
前記第２の情報記録層は、前記レーザ光入射面までの距離が０．０６ｍｍ〜０．１１ｍｍの範囲に設けられ、
前記第１の情報記録層及び前記第２の情報記録層のそれぞれに記録された情報量は、２５ＧＢｙｔｅ以下であり、
前記第２の情報記録層は１層である、
請求項１２に記載の情報記録媒体。
【請求項１５】
前記第２の情報記録層は、前記レーザ光入射面までの距離が０．０６ｍｍ〜０．１１ｍｍの範囲に設けられ、
前記第１の情報記録層及び前記第２の情報記録層のそれぞれに記録された情報量は、２５ＧＢｙｔｅを超え、５０ＧＢｙｔｅ以下であり、
前記第２の情報記録層は２層である、
請求項１２に記載の情報記録媒体。
【請求項１６】
前記第１の情報記録層に記録された情報の内容は、前記第２の情報記録層に記録された情報の内容と同じであり、
前記第２の情報記録層に記録された前記情報の圧縮率は、前記第１の情報記録層に記録された前記情報の圧縮率よりも高い、
請求項１に記載の情報記録媒体。
【請求項１７】
前記第１の情報記録層の記録容量は５０ＧＢｙｔｅより大きい、
請求項１６に記載の情報記録媒体。
【請求項１８】
請求項１に記載の前記情報記録媒体の前記第１の情報記録層と前記第２の情報記録層とに同じ内容の情報を記録して情報の供給を行う、
情報供給システム。
【請求項１９】
レーザ光入射面に形成された第１の情報記録層及び／または前記レーザ光入射面までの距離が０．０５ｍｍ〜１．２ｍｍの第２の情報記録層を備えた情報記録媒体に対する情報の記録及び／又は再生を行う光情報装置であって、
第１の波長λ１のレーザ光及び第２の波長λ２のレーザ光を発振するレーザ部と、
第１の開口数ＮＡ１を有し、前記第１の波長λ１のレーザ光を前記第１の情報記録層に照射させる第１の対物レンズと、
第２の開口数ＮＡ２を有し、前記第２の波長λ２のレーザ光を前記第２の情報記録層に照射させる第２の対物レンズと、
前記第１の対物レンズ又は前記第２の対物レンズを駆動させ、前記情報記録媒体の第１及び第２情報記録層に対し、情報の記録及び／又は再生を実行する記録再生制御部と、
を備え、
前記第１の開口数ＮＡ１は、０．９以上であり、
前記第２の開口数ＮＡ２は、０．９未満であり、
前記記録再生制御部は、
前記第１の対物レンズを駆動して、前記情報記録媒体の前記第１の情報記録層の有無を判定する判定部を有し、
前記判定部が前記第１の情報記録層が有ると判定した場合は、前記第１の対物レンズを駆動し、前記第１の情報記録層に対する情報の記録及び／又は再生を実行し、
前記判定部が前記第１の情報記録層が無いと判定した場合は、前記第２の対物レンズを駆動し、前記第２の情報記録層に対する情報の記録及び／又は再生を実行する、
光情報装置。
【請求項２０】
前記記録再生制御部は、
前記第１の対物レンズによるフォーカスサーボの引き込みの結果に基づいて、前記情報記録媒体の前記第１の情報記録層の有無を判定する、
請求項１９に記載の光情報装置。
【請求項２１】
更に、前記レーザ光入射面までの距離が０．０５ｍｍ〜１．２ｍｍの第３の情報記録層を備えた情報記録媒体に対する情報の記録及び／又は再生を行う光情報装置であって、
更に、第３の開口数ＮＡ３を有し、前記レーザ部より発振される第３の波長λ３のレーザ光を前記第３の情報記録層に照射させる第３の対物レンズを備え、
前記第３の開口数ＮＡ３は、０．８５未満であり、
前記記録再生制御部は、
前記第２の対物レンズを駆動して、前記判定部により前記情報記録媒体の前記第２の情報記録層の有無を更に判定し、
前記判定部が前記第２の情報記録層が無いと判定した場合は、前記第３の対物レンズを駆動し、前記第３の情報記録層に対する情報の記録及び／又は再生を実行する、
請求項１９に記載の光情報装置。
【請求項２２】
レーザ光を特定の入射面から入射させて情報の再生を行う情報記録媒体であって、
前記レーザ光入射面までの距離が０．０６ｍｍ〜０．１１ｍｍの範囲に設けられた第１種の情報記録層と、
前記レーザ光入射面までの距離が０．５４ｍｍ〜０．６５ｍｍの範囲に設けられた第２種の情報記録層を備え、
前記第１種の情報記録層に記録された情報の内容と圧縮率の両方が、前記第２種の情報記録層に記録された情報の内容と圧縮率と同じである、
情報記録媒体。
【請求項２３】
青色光源と、赤色光源と、前記青色光源から出射した光を、表面までの距離が０．０６ｍｍ〜０．１１ｍｍの範囲に設けられた第１種の情報記録層を備える光ディスクの前記第１種の情報記録層上に収束させる対物レンズと、前記対物レンズによって前記光ディスクの記録層へ収束して反射された光を受光して電気信号に光電変換する光検出器と、を備えた光ヘッド装置と、
光ディスクを回転するモーターと、
前記光ヘッド装置から得られる信号を受け、前記信号に基づいて少なくとも前記モーター、光学レンズ及びレーザ光源を制御及び駆動する電気回路と、
を備えた光情報装置であって、
前記電気回路から光ディスク再生の指令が出されると、前記光ヘッド装置に設けられた前記青色光源を発光させ、
前記表面と隣接する記録層までの距離を測り、
前記表面から約０．１ｍｍの距離のところに反射層があると判断すれば、第１種光ディスクと判断してその記録層にフォーカスサーボをかけて前記第１種光ディスクの再生を始め、
前記表面から約０．１ｍｍの距離のところに反射層がないと判断すれば、前記赤色光源を発光させて、前記表面と隣接する記録層までの距離を測り、
前記表面から約０．６ｍｍの距離のところに反射層があると判断すれば、ＤＶＤと判断してその記録層にフォーカスサーボをかけて前記ＤＶＤの再生を始める、
光情報装置。